(57)【要約】      （修正有）【課題】木造住宅の土台の劣化による耐震性能の低下を防止する床下断熱構造を提供する。【解決手段】押さえコンクリート層１２の直下に防湿シート１４を設け、基礎１１の床下側に発泡樹脂系の断熱材１６を配するとともに、基礎の上面に配する土台２０の床下空間側に、非透水性の断熱材１８を設け、床下空間１０と居室Ｑとを連通させる通気開口１９を設ける。基礎の床下側に断熱材１６を配するので、基礎を介して床下に伝達される熱を遮断でき、土台の床下側に断熱材１８を設けるので、床下側を結露による腐食から防止出来る。また、床下空間と居室とを連通させる通気開口を設けるので、床下空間の空気を居室の空気と略同様に保つことができる。木造住宅内の空気をダクトを介して屋外へ排気する排気ファンを設け、床下空間の空気を常に流動させてもよい。【選択図】図１
0003214200.tif 000002
【実用新案登録請求の範囲】
【請求項１】
外気に通じる開口をもたない基礎によって床下空間を形成し、
当該床下空間の床に押さえコンクリート層を設ける木造住宅において、
前記押さえコンクリート層の直下に防湿シートを設け、
前記基礎の床下側に発泡樹脂系の断熱材を配するとともに、
前記基礎の上面に配する土台の前記床下側に、
非透水性の断熱材を設け、
前記床下空間と居室とを連通させる通気開口を設けることを特徴とする木造住宅の床下断熱構造。
【請求項２】
木造住宅内の空気をダクトを介して屋外へ排気する排気ファンを設け、
当該排気ファンおよび前記ダクトを介して床下空間の空気を緩やかに排気することにより、
床下空間の空気を常に流動させることを特徴とする請求項１記載の木造住宅の床下断熱構造。
【請求項３】
外壁下地材と外壁仕上材との間に通気層を設け、
当該通気層の下端開口を、
土台より下に位置させることにより、
当該下端開口から流入して屋内に入る外気を、
前記土台の屋外面に接触させつつ上昇流動させることを特徴とする請求項２記載の木造住宅の床下断熱構造。
【考案の詳細な説明】
【技術分野】
【０００１】
本考案は、木造住宅の床下断熱構造に係り、とくに、耐震性能に影響を与える土台の腐食を防止する技術に関する。
【背景技術】
【０００２】
図７に示すように、寒冷地における木造住宅は、コンクリート製の基礎１の内側（床下空間２側）に発泡樹脂系の断熱材３を設け、床下空間２の温度低下を防止することが多い（特許文献１）。
【０００３】
これは、寒冷地における暖房効率を優先するためである。従って、基礎１には外気に連通する開口は設けない。
【０００４】
４は、床下空間２の床を構成する押さえコンクリート層、６は盛土層、７は床下地、８は土台である。
【０００５】
断熱材３により、床下空間２の温度低下を防止することで暖房効率が高まり、冬期の暖房費用を抑えることが出来るため、とくに寒冷地においては、このような床下空間２の気密性を高めた木造住宅が主流になっている。
【先行技術文献】
【特許文献】
【０００６】
【特許文献１】実用新案登録第３０６４２０５号
【考案の開示】
【考案が解決しようとする課題】
【０００７】
問題は、木造住宅の耐震性能に影響を与える土台の劣化である。
【０００８】
従来の床下断熱構造は、床下空間（２）の温度低下を防止することに主眼があり、その目的は達成していた。
【０００９】
しかしながら、２０１１年に発生した東北地方太平洋沖地震では、土台の劣化による倒壊がみられた。
【００１０】
つまり、従来の床下断熱構造は、暖房効率を高める点では優れるが、地震発生時における木造住宅の耐震性能との関係は、あまり注目されていなかったのが実情である。
【００１１】
そこで、本考案の目的は、床下断熱構造の改善により、木造住宅の耐震性能をより高めることにある。
【課題を解決するための手段】
【００１２】
前記目的を達成するため、本考案に係る木造住宅の床下断熱構造は、外気に通じる開口をもたない基礎によって床下空間を形成し、当該床下空間の床に押さえコンクリート層を設ける木造住宅を技術的前提として、前記押さえコンクリート層の直下に防湿シートを設け、前記基礎の床下側に発泡樹脂系の断熱材を配するとともに、前記基礎の上面に配する土台の前記床下空間側に、非透水性の断熱材を設け、前記床下空間と居室とを連通させる通気開口を設ける（請求項１）。
【００１３】
床下の床面を構成する押さえコンクリートの直下に防湿シートを設けるので、押さえコンクリートを地面下の水の影響から完全に遮断できる。これにより地下水等に起因する押さえコンクリートの下面の劣化を防止できる。
【００１４】
基礎の床下側（屋内側）に発泡樹脂系の断熱材を配するので、基礎を介して床下に伝達される熱（夏の暖気／冬の冷気）を遮断でき、土台の床下側（屋内側）に非透水性の断熱材を設けるので、土台の床下側を結露による腐食から防止することが出来る。
【００１５】
また、床下空間と居室とを連通させる通気開口を設けるので、床下空間の空気を居室の空気と略同様に保つことができる。
【００１６】
木造住宅内の空気をダクトを介して屋外へ排気する排気ファンを設け、当該排気ファンおよび前記ダクトを介して床下空間の空気を緩やかに排気することにより、床下空間の空気を常に流動させる場合がある（請求項２）。
【００１７】
排気ファンによって床下空間の空気を常に流動させることにより、空気の淀みに起因する床下の結露が防止でき、土台の床下側を常に乾燥状態に保つことが出来る。
【００１８】
外壁下地材と外壁仕上材との間に通気層を設け、当該通気層の下端開口を、土台より下に位置させることにより、当該下端開口から流入して屋内に入る外気を、前記土台の屋外面に接触させつつ上昇流動させる場合がある（請求項３）。
【００１９】
請求項２に係る排気ファンを設けた上で、外壁仕上材の内側に通気層を設けた場合は、通気層の下端開口から外気が流入して上昇する。
【００２０】
通気層の下端開口を土台より下に位置させた場合は、土台の屋外側の側面は、上昇する外気に晒され結露を生じない。空気の淀みもなく、空気の温度差もないからである。湿度の高い空気であっても、流動する空気は、各種建材に対して乾燥の効果をもたらす。
【考案の効果】
【００２１】
本考案に係る木造住宅の床下断熱構造によれば、床下の空気を居室と略同様の条件に保つことが出来る。これにより、土台の腐食は防止され、木造住宅の耐震性能を高めることが可能となる。
【図面の簡単な説明】
【００２２】
【図１】第一の実施形態に係る床下構造を例示する側面断面図である。
【図２】第一の実施形態に係る断熱材の配設例を示す平面図である。
【図３】第二の実施形態に係る床下構造を例示する側面断面図である。
【図４】第三の実施形態に係る床下構造を例示する図である。
【図５】第四の実施形態に係る床下構造を例示する図である。
【図６】図５に係る通気層の下端開口まわりを拡大して示す図である。
【図７】従来の床下構造を例示する図である。
【考案を実施するための形態】
【００２３】
図１は、本考案に係る木造住宅Ｈの床下断熱構造の第一の実施形態を示すものである。
【００２４】
この床下断熱構造は、外気に通じる開口をもたない基礎１１によって床下空間１０を形成し、床下空間１０の床に押さえコンクリート層１２を設ける。
【００２５】
そして、押さえコンクリート層１２の直下に防湿シート１４を設け、基礎１１の床下側に発泡樹脂系の断熱材１６を配するとともに、基礎１１の上面に配する土台２０の床下側に、非透水性の断熱材１８を設ける。また、床下空間１０と居室Ｑとを連通させる通気開口１９を設ける。
【００２６】
２１は気密パッキン、２２は床下地材、２３は床仕上材、２５は居室内装材、２６は外壁下地材である。
【００２７】
基礎１１は、その形成時に、断熱材１６を固定するための留め具を型枠材（図示せず）に配しておき、コンクリート打設によって基礎１１と断熱材１６が留め具を介して分離不能になるようにしておく。基礎１１には、必要な補強材（鉄筋等）を配することが望ましい。また、立上部１１−１には外気に通じる開口を設けない。
【００２８】
また、断熱材１６は、発泡樹脂系の肉厚材を使用することが望ましい。この断熱材１６は、基礎１１の立上部１１−１の全面を覆うように配する。上下方向では、立上部１１−１の下端から上端まで被覆し、左右方向では、図２に示すように、基礎１１の内周全面と、突出部分１１−３に配する。突出部分１１−３に配する断熱材は、熱伝導によって床下空間１０の空気温度に影響を与える可能性がある範囲をカバーすることが望ましい。
【００２９】
押さえコンクリート層１２の直下に配する防湿シート１４は、例えば、ポリエチレン系のシート、或いは、ポリエチレン系の肉薄断熱シートを用いる。組み合わせて使用しても良い。防湿シート１４の下は、割石等を配して地盤成形することが望ましい。沈下等に起因する押さえコンクリート層１２の変形を防止するためである。
【００３０】
基礎１１の上面に配する土台２０は、気密性を確保するパッキン２１を介して配置する。パッキン２１は、例えば、弾力性のある樹脂材を利用する。
【００３１】
土台２０の床下側に配する非透水性の断熱材１８は、基礎１１の床下側に配する断熱材１６よりも肉薄であっても良い。断熱材１８は、土台２０を結露から保護し、土台２０の温度変化を防止できる機能を備えれば良い。
【００３２】
通気開口１９は、床下空間１０と居室（廊下を含む）Ｑとを略同一の空気条件にする。通気開口１９は、適宜位置、例えばリビングの片隅に小さく設ける程度のものであって良い。
【００３３】
床下地材２２は、大引きや根太によって構成される床板の支持構成材である。この上に、適宜の床仕上材２３を設ける。
【００３４】
外壁下地材２６は、例えば、柱材（図示せず）の間に設けたグラスウール等の断熱材等によって構成する。
【００３５】
かかる構成によれば、床下空間１０（基礎１１の内側）は、断熱材１６によって外気の熱が遮断され、通気開口１９によって床下空間１０の空気を居室Ｑと略同様に保つことが出来るので、暖房／冷房の空調効率を高めることが出来る。
【００３６】
また、土台２０の床下側の面は、結露が生じにくい構造となる。なぜなら、床下側に配した断熱材１８によって表面の温度変化を抑えられ、四季を通して床下空間は大きな温度変化が生じにくく、防湿シート１４によって押さえコンクリート層１２の劣化に起因する湿気の発生が防止されるからである。
【００３７】
床下空間１０の温度変化を防止するため、図３に示すように、床下地材２２の下に温水／冷水の循環パイプ２７を配しても良い（第二の実施形態）。２８は、肉薄の断熱材、例えばアルミニウムを用いた遮熱断熱シート、２９は、床下地材２２を支持する大引きである。
【００３８】
床下地材２２の下に温水／冷水の循環パイプ２７を配すると、一階の居室Ｑの床暖房／床冷房が出来るが、同時に、床下空間１０の温度にも微妙な変化を与える。肉薄の断熱材２８を設けても完全に熱が遮断されるわけではなく、温水を循環させる冬期には微妙な温度上昇、冷水を循環させる夏期には微妙な温度低下を惹起するので、通気開口１９を介した空気流動の効果と相俟って、床下空間１０の温度は限りなく居室Ｑの空気条件に近づけることが出来る。
【００３９】
図４は、木造住宅Ｈ内の空気Ｒをダクト３０を介して屋外へ排気する排気ファン３１を設け、当該排気ファン３１およびダクト３０を介して床下空間１０の空気Ｒを緩やかに排気する場合を例示するものである（第三の実施形態）。これにより、床下空間１０の空気Ｒを常に流動させる。
【００４０】
３３は、外気を木造住宅Ｈ内に取り入れる換気開口、３５は小屋裏、３６は、木造住宅Ｈ内の空気Ｒをダクト３０に流入させる取入口、３７は、排気ファン３１を介して空気Ｒを屋外へ排出する排気ダクトである。
【００４１】
排気ファン３１は、緩やかに空気Ｒを屋外へ排出手段であり、例えば、２４時間で木造住宅Ｈ内の空気Ｒを一巡させる程度の排気量のもので良い。静音モータを使用できるので、ほぼ無音であり、消費電力も極めて少ない。
【００４２】
かかる構成によれば、排気ファン３１を介して木造住宅Ｈ内の空気Ｒを常時緩やかに排出するので、床下空間１０の空気Ｒも常に循環し、床下空間１０の空気Ｒは淀まない。
【００４３】
この結果、床下空間１０には、空気Ｒの淀みと温度差に起因する結露は生じない。常に、床下空間１０は良好な湿度状態を保つので、土台２０の床下側の面に結露が生じることもない。
【００４４】
図５は、外壁下地材２６と外壁仕上材（サイディングボード等）４１との間に通気層４５を設け、通気層４５の下端開口４６を、土台２０より下に位置させる構造を例示するものである（第四の実施形態）。なお、図４に示した構造と同一の部分は同一の符号を附して重複する説明を省略する。
【００４５】
通気層４５は、胴縁（図示せず）を介して外壁仕上材４１を外壁下地材２６に取り付けることによって形成することが出来る。
【００４６】
この床下構造は、排気ファン３１を介して木造住宅Ｈ内の空気Ｒを常時緩やかに排出することを前提とする。従って、住宅内外の空気の圧力差により、通気層４５の下端開口４６からは常に新鮮な空気（外気Ｆ）が流入し、通気層４５の中を上に向かって流動する。外気Ｆは、換気開口３３、通気開口１９を介してそれぞれ居室Ｑ、床下空間１０に流入し、一定時間、住宅内に留まった後、排気ファン３１を介して屋外に排出される。
【００４７】
従って、かかる構成によれば、図６にも示すように、床下空間１０を形成する土台２０は、屋内側（床下側）も屋外側（通気層４５側）も、流動する空気（Ｒ／Ｆ）に晒されるので，結露を生じることがなく、常に良好な乾燥状態を保つことが出来る。
【００４８】
床下空間１０の空気Ｒは常に流動して淀まず、通気層４５の下端開口４６からは常に外気（Ｆ）が流入して空気の淀みを生じないからである。また、通気層４５の下端開口４６は、土台２０より下に位置させるので、土台２０は、降水の影響も受け難い。
【００４９】
この結果、土台２０の屋内側／屋外側の側面は、結露による劣化（とくに腐食）が生じ難く、木造住宅Ｈの耐震性能を長期にわたって保証することが可能となる。
【符号の説明】
【００５０】
６    盛土層
１０  床下空間
１１  基礎
１１−１  （基礎の）立上部
１１−３  （基礎の）突出部分
１２  コンクリート層
１４  防湿シート
１６、１８、２８  断熱材
１９  通気開口
２０  土台
２１  気密パッキン
２２  床下地材
２３  床仕上材
２５  居室内装材
２６  外壁下地材
２７  循環パイプ
２９  大引き
３０  ダクト
３１  排気ファン
３３  換気開口
３５  小屋裏
３６  取入口
３７  排気ダクト
４１  外壁仕上材
４５  通気層
４６  （通気層の）下端開口
Ｆ  外気
Ｈ  木造住宅
Ｑ  居室
Ｒ  空気
【図１】
0003214200.tif 000003
【図２】
0003214200.tif 000004
【図３】
0003214200.tif 000005
【図４】
0003214200.tif 000006
【図５】
0003214200.tif 000007
【図６】
0003214200.tif 000008
【図７】
0003214200.tif 000009